(57)【要約】【課題】傷病者のトリアージ区分を、無線通信によって簡便に判別し得るトリアージタグを提供する。【解決手段】複数のトリアージ標識片１６ａ〜１６ｄを易切断線１８ａ〜１８ｃで相互に切り離し可能に構成してなるトリアージタグ１１にあって、各易切断線１８ａ〜１８ｃを跨ぐように易切断線１８ａ〜１８ｃ毎に配設される切断識別用ＩＣタグ２０ｂ〜２０ｄと、前記易切断線１８ａ〜１８ｃを跨がず、タグ本体部１４から切り離されることのない位置に配設される基本ＩＣタグ２０ａとを配設し、切断識別用ＩＣタグ２０ｂ〜２０ｄは、アンテナ２２の、ＩＣチップの近傍部位が、前記易切断線１８ａ〜１８ｃと交差するように配置する。そして、切断識別用ＩＣタグ２０ｂ〜２０ｄ及び基本ＩＣタグ２０ａのＩＣチップには、夫々の配設位置を示すＩＣタグ属性情報を記憶させる。【選択図】図３
2015055995.tif 000002
【特許請求の範囲】
【請求項１】
タグ用紙に、所要情報を記入するタグ本体部と、トリアージ区分を示すトリアージ区分表示部とを形成してなるトリアージタグにおいて、
該トリアージ区分表示部は、模様及び／又は色彩が相違するトリアージ区分と同数のトリアージ標識片を、タグ本体部の端部から一方向に連続させて、トリアージ標識片とトリアージ標識片の境界に形成した易切断線で、トリアージ標識片を相互に切り離し可能に構成してなるものであり、
アンテナと、該アンテナを介して無線通信を行うＩＣチップとを具備してなるＩＣタグを複数備え、
該ＩＣタグは、各易切断線を跨ぐように易切断線毎に配設される切断識別用ＩＣタグと、前記易切断線を跨がず、タグ本体部から切り離されることのない位置に配設される基本ＩＣタグとを含み、
切断識別用ＩＣタグは、アンテナの、ＩＣチップの近傍部位が、前記易切断線と交差するように配置されており、
切断識別用ＩＣタグ及び基本ＩＣタグのＩＣチップには、夫々の配設位置を示すＩＣタグ属性情報が記憶されていることを特徴とするトリアージタグ。
【請求項２】
前記ＩＣタグはＵＨＦ帯で無線通信するものであることを特徴とする請求項１に記載のトリアージタグ。
【請求項３】
切断識別用ＩＣタグは、ＩＣチップが前記易切断線の脇に配置されており、該易切断線での切断により、アンテナのＩＣチップの近傍部位を除く部分が、ＩＣチップから離隔するよう構成されていることを特徴とする請求項１又は請求項２に記載のトリアージタグ。
【請求項４】
前記ＩＣタグのＩＣチップには、個々のトリアージタグに固有のトリアージタグ識別情報が記憶されていることを特徴とする請求項１乃至請求項３のいずれか１項に記載のトリアージタグ。
【請求項５】
請求項１乃至請求項４のいずれか１項に記載のトリアージタグをＩＣタグリーダーの通信可能範囲に含めた状態で、該ＩＣタグリーダーに、通信可能範囲内にあるＩＣタグのＩＣタグ属性情報を読み取るデータ読取処理を実行させ、
さらに、前記ＩＣタグリーダーに、前記データ読取処理で読み取ったＩＣタグ属性情報に基づいて、前記トリアージタグのトリアージ区分表示部が示すトリアージ区分を判別する区分判別処理を実行させることを特徴とするトリアージタグのトリアージ区分判別方法。
【請求項６】
請求項１乃至請求項４のいずれか１項に記載のトリアージタグのトリアージ区分を無線通信によって判別するためのＩＣタグリーダーであって、
前記トリアージタグの各ＩＣタグと同時通信可能な通信部と、情報を表示する表示部とを備え、
通信可能範囲内にある前記各ＩＣタグのＩＣタグ属性情報を情報を読み取るデータ読取処理と、
該データ読取処理で読み取ったＩＣタグ属性情報に基づいて、前記トリアージタグのトリアージ区分表示部が示すトリアージ区分を判別する区分判別処理と、
該区分判別処理の結果を表示部に表示する判別結果表示処理と
を順次実行することを特徴とするＩＣタグリーダー。
【請求項７】
前記データ読取処理で、前記基本ＩＣタグのＩＣタグ属性情報を読み取らなかった場合は、判別結果表示処理で、トリアージ区分を読み取らなかったことを示す画面を表示部に表示することを特徴とする請求項６に記載のＩＣタグリーダー。
【発明の詳細な説明】
【技術分野】
【０００１】
本発明は、災害現場等で治療優先度を決定するトリアージにおいて、傷病者の識別に使用されるトリアージタグに関する。
【背景技術】
【０００２】
災害等により多数の傷病者が同時に発生したとき、限られた医療資源を最大限に活用してできるだけ多くの傷病者を救うため、傷病者の治療の優先度を決定するトリアージが行われる。トリアージでは、傷病者を、緊急度や重症度に応じて４つのトリアージ区分に分類し、傷病者のトリアージ区分に応じて搬送順序や搬送先、治療順序などが決定される。通常、トリアージでは、傷病者は、以下の４つのトリアージ区分に分類される。
区分０：死亡、または、救命の見込みのない状態。
区分１：生命に関わる重篤な状態。
区分２：区分１ほどではないが、早期に処置をすべき状態。
区分３：早期の処置や、搬送の必要がない状態。
【０００３】
トリアージでは、トリアージ実施者は、傷病者の状態を短時間で判断し、トリアージの結果を示すトリアージタグを傷病者の手首等に取り付ける。トリアージ実施者は、傷病者の搬送や治療はせず傷病者の選別のみに専念し、トリアージ被実施者は、トリアージタグの内容に基づいて搬送や治療が行われる。
【０００４】
図８は、既存一般のトリアージタグａである。トリアージタグａは、縦長矩形状の帳票である。トリアージタグａの上部から中央部には、傷病者の個人情報や、トリアージを実施した場所や日時、傷病者の症状、トリアージ区分等を記入する欄が設けられている。そして、トリアージタグａの下部には、トリアージにおいて最も重要な情報であるトリアージ区分を明示するためのトリアージ区分表示部ｂが形成される。トリアージ区分表示部ｂは、各トリアージ区分を示す色で着色されたトリアージ標識片ｃを上下方向に連続させてなるものであり、トリアージ標識片ｃの間に形成された易切断線ｄでトリアージ標識片ｃを切り離して、最下部のトリアージ標識片ｃの色によって、傷病者のトリアージ区分を示すよう構成されている。具体的には、トリアージ標識片ｃは、上から黒色（区分０）、赤色（区分１）、黄色（区分２）、緑色（区分３）の順序となっており、例えば、トリアージで傷病者のトリアージ区分が区分１であると決定した場合は、赤色（区分１）と黄色（区分２）のトリアージ標識片ｃの間で切断して、赤色（区分１）のトリアージ標識片ｃが最下部になるようにする。また、トリアージ区分が区分３であると決定した場合は、トリアージ区分表示部ｂを切断することなく傷病者に取り付ける。
【０００５】
また、従来のトリアージタグには、ＩＣタグを組み込んだものも提案されている（例えば、特許文献１）。特許文献１に記載のトリアージシステムでは、トリアージタグに組み込まれたＩＣタグに、各トリアージタグに固有のトリアージタグ識別情報を記憶させておく。そして、トリアージ実施者が、電子ペン記録システムを用いてトリアージタグに所要情報を記入し、トリアージタグに記入した情報を電子化してデータ管理サーバに送信するようにしている。かかるシステムによれば、搬送先等でトリアージタグのＩＣタグからトリアージタグ識別情報を読み取って、データ管理サーバに傷病者の情報を照会することができる。
【先行技術文献】
【特許文献】
【０００６】
【特許文献１】特開２００９−２１７４４９号公報
【発明の概要】
【発明が解決しようとする課題】
【０００７】
上述のように、既存のトリアージタグでは、トリアージ区分を明瞭に判別可能とするために、トリアージタグの下部にトリアージ区分表示部が設けられている。しかしながら、従来のトリアージタグでは、現場が暗い場合や、トリアージタグの装着位置、傷病者の姿勢によっては、離れた位置からではトリアージ区分表示部を目視し難いことが多く、そうした場合は、傷病者に近づいてトリアージタグを手に取ってトリアージ区分を確認しなければならない。
【０００８】
これに対して、ＩＣタグが組み込まれたトリアージタグであれば、トリアージ区分の情報をＩＣタグに書き込んで無線通信によって読取可能にしておけば、トリアージ区分表示部をはっきりと目視できない距離からでもトリアージ区分を判別可能となる。また、特許文献１のように傷病者のトリアージ区分の情報がサーバで管理されている場合には、ＩＣタグからトリアージタグ識別情報を読み取ってサーバに照会すれば、当該トリアージタグのトリアージ区分を、トリアージ区分表示部を目視確認することなく判別できる。
【０００９】
しかしながら、トリアージ区分をＩＣタグに記憶させるためには、トリアージの際に、トリアージ実施者がＩＣタグライターを操作してＩＣタグにトリアージ区分の情報を書き込まなくてはならない。また、トリアージ区分をサーバで管理する場合には、トリアージの際に、トリアージ実施者がトリアージ区分を端末に入力して、トリアージタグ識別情報とともにサーバに送信しなくてはならない。災害現場等でのトリアージは一刻を争うものであり、傷病者一人当たりに割くことのできる時間は限られているため、このような手間は極力少なくすることが望ましい。
【００１０】
本発明は、かかる現状に鑑みてなされたものであり、トリアージタグのトリアージ区分を、無線通信によって簡便に判別し得るトリアージタグの提供を目的とする。
【課題を解決するための手段】
【００１１】
本発明は、タグ用紙に、所要情報を記入するタグ本体部と、トリアージ区分を示すトリアージ区分表示部とを形成してなるトリアージタグにおいて、該トリアージ区分表示部は、模様及び／又は色彩が相違するトリアージ区分と同数のトリアージ標識片を、タグ本体部の端部から一方向に連続させて、トリアージ標識片とトリアージ標識片の境界に形成した易切断線で、トリアージ標識片を相互に切り離し可能に構成してなるものであり、アンテナと、該アンテナを介して無線通信を行うＩＣチップとを具備してなるＩＣタグを複数備え、該ＩＣタグは、各易切断線を跨ぐように易切断線毎に配設される切断識別用ＩＣタグと、前記易切断線を跨がず、タグ本体部から切り離されることのない位置に配設される基本ＩＣタグとを含み、切断識別用ＩＣタグは、アンテナの、ＩＣチップの近傍部位が、前記易切断線と交差するように配置されており、切断識別用ＩＣタグ及び基本ＩＣタグのＩＣチップには、夫々の配設位置を示すＩＣタグ属性情報が記憶されていることを特徴とするトリアージタグある。
【００１２】
かかる構成にあっては、トリアージ区分表示部を易切断線で切り離すと、易切断線を跨いで配設されたＩＣタグは、アンテナがＩＣチップ装着部位近傍で切断されて破損することとなり、かかるＩＣタグは、完全に無線通信不能となるか、ごく短距離の無線通信しかできなくなる。このため、当該ＩＣタグの記憶情報は、切断前の通常の読取位置からは読取不能となる。したがって、本発明のトリアージタグは、トリアージ区分表示部が全く切断されていない状態では、全てのＩＣタグに記憶されたＩＣタグ属性情報をＩＣタグリーダーで読み取ることができるが、トリアージ区分表示部が易切断線で切断された状態では、易切断線の切断によって破壊されたＩＣタグのＩＣタグ属性情報を読み取り不能となる。
【００１３】
このように、本発明のトリアージタグは、易切断線での切断によって、易切断線に跨がって配設されたＩＣタグのＩＣタグ属性情報をＩＣタグリーダーで読取不能となるため、ＩＣタグリーダー側で、読取不能であったＩＣタグ属性情報に基づいて、トリアージ区分表示部のどの易切断線が切断されているかを特定することで、当該トリアージ区分表示部の示すトリアージ区分を判別することができる。このため、本発明によれば、トリアージの際に、ＩＣタグにトリアージ区分の情報を書き込んだり、トリアージタグ識別情報とトリアージ区分をサーバに送信したりする手間をかけずに、トリアージ区分表示部の示すトリアージ区分を無線通信によって簡便に判別することが可能となる。
【００１４】
本発明に係る各ＩＣタグの通信可能距離は、ほぼ均一であることが望ましい。また、ＩＣタグの通信可能距離は、１ｍ以上であることが望ましく、長ければ長いほど望ましい。また、切断識別用ＩＣタグは、対応する易切断線の切断時には、通信可能距離が少なくとも３０ｃｍ以下となることが望ましく、通信不能となることがより望ましい。
【００１５】
本発明にあって、前記ＩＣタグはＵＨＦ帯で無線通信するものであることが提案される。ここで、「ＵＨＦ帯」とは、３００〜３０００ＭＨｚの周波数を指す。かかる構成にあっては、ＩＣタグリーダーとの通信距離が長くなるため、トリアージタグの利便性を向上させることが可能となる。
【００１６】
また、本発明にあって、切断識別用ＩＣタグは、ＩＣチップが前記易切断線の脇に配置されており、該易切断線での切断により、アンテナのＩＣチップの近傍部位を除く部分が、ＩＣチップから離隔するよう構成されていることが提案される。
【００１７】
かかる構成によれば、トリアージタグを易切断線で切断したときに、当該易切断線を跨いで配設されたＩＣタグの通信機能を大幅に低下させることができる。
【００１８】
また、本発明にあって、前記ＩＣタグのＩＣチップには、個々のトリアージタグに固有のトリアージタグ識別情報が記憶されていることが提案される。
【００１９】
かかる構成にあっては、ＩＣタグリーダーによって、通信対象のＩＣタグが、どのトリアージタグに配設されたものであるかを判別可能となるから、ＩＣタグリーダーの通信可能範囲に複数のトリアージタグが存在する場合でも、各トリアージタグのＩＣタグを混同することなく、トリアージ区分を正確に判別可能となる。また、複数のトリアージタグのトリアージ区分を無線通信によって同時に判別することも可能となる。
【００２０】
本発明の別の態様は、上記トリアージタグをＩＣタグリーダーの通信可能範囲に含めた状態で、該ＩＣタグリーダーに、通信可能範囲内にあるＩＣタグのＩＣタグ属性情報を読み取るデータ読取処理を実行させ、さらに、前記ＩＣタグリーダーに、前記データ読取処理で読み取ったＩＣタグ属性情報に基づいて、前記トリアージタグのトリアージ区分表示部が示すトリアージ区分を判別する区分判別処理を実行させることを特徴とするトリアージタグのトリアージ区分判別方法である。かかる方法によれば、上記トリアージタグのトリアージ区分を無線通信によって確実に判別可能となる。
【００２１】
また、本発明の別の態様は、上記トリアージタグのトリアージ区分を無線通信によって判別するためのＩＣタグリーダーであって、前記トリアージタグの各ＩＣタグと同時通信可能な通信部と、情報を表示する表示部とを備え、通信可能範囲内にある前記各ＩＣタグのＩＣタグ属性情報を情報を読み取るデータ読取処理と、該データ読取処理で読み取ったＩＣタグ属性情報に基づいて、前記トリアージタグのトリアージ区分表示部が示すトリアージ区分を判別する区分判別処理と、該区分判別処理の結果を表示部に表示する判別結果表示処理とを順次実行することを特徴とするＩＣタグリーダーである。かかるＩＣタグリーダーによれば、上記トリアージタグのトリアージ区分を簡便に読み取ることができる。また、かかるＩＣタグリーダーは、既存のＩＣタグリーダーのハードウェア構成を流用できるため、低廉に実現できるという利点がある。
【００２２】
また、上記ＩＣタグリーダーにあって、前記データ読取処理で、前記基本ＩＣタグのＩＣタグ属性情報を読み取らなかった場合は、判別結果表示処理で、トリアージ区分を読み取らなかったことを示す画面を表示部に表示することが提案される。かかる構成では、降雨や汚染など、現場の状況によって、無線通信によるトリアージ区分の判別に失敗した場合には操作者に対してその旨が明示されるため、操作者は、ＩＣタグリーダーをトリアージタグに近づけてから再試行したり、トリアージ区分表示部の目視確認に切り替えたりするなどの対策を速やかに取ることができる。
【発明の効果】
【００２３】
以上に述べたように、本発明によれば、トリアージの際に通常の手順通りにトリアージ区分表示部を切断するだけで、トリアージ区分表示部の示すトリアージ区分を無線通信によって判別可能となるから、トリアージの際の手間を増やすことなく、トリアージ区分の判別が容易なトリアージタグを実現できる。また、本発明のトリアージタグは、トリアージ区分表示部の切断状態を無線通信によって直接判別可能なものであるため、トリアージ区分の情報を手入力でＩＣタグ等に記憶させる構成に比べて、情報の入力間違いが発生し難いという利点がある。
【図面の簡単な説明】
【００２４】
【図１】実施例のトリアージタグ１１の表面図である。
【図２】実施例のトリアージタグ１１の裏面図である。
【図３】トリアージ区分表示部１５の拡大図である。
【図４】ＩＣモジュール２１の装着態様を示す説明図である。
【図５】トリアージ標識片１６ｃ，１６ｄを切り離した状態を示す、トリアージ区分表示部１５の拡大図である。
【図６】区分判別処理の処理内容を示すフローチャートである。
【図７】判別結果表示処理の表示例を示す説明図である。
【図８】従来のトリアージタグａの表面図である。
【発明を実施するための形態】
【００２５】
本発明の実施形態を、以下の実施例に従って説明する。
【００２６】
本実施例のトリアージタグ１１は、図１，２に示すように、縦長矩形状をなすタグ用紙１２の上端部に、傷病者の手首等に取り付けるための環状のゴム紐１３を結びつけてなるものである。
【００２７】
タグ用紙１２は、従来品同様の耐久性の高い紙で構成することができる。タグ用紙１２の上部から中央部にかけては、トリアージで各種の情報を記入するタグ本体部１４となっており、タグ用紙１２の下部は、トリアージ区分を明示するトリアージ区分表示部１５を構成する。
【００２８】
タグ本体部１４の表面には、図１に示すように、所要情報を記入する欄が設けられている。具体的な記入項目としては、傷病者の個人情報、トリアージの実施日時・実施場所・実施者、診断内容、トリアージ区分などがある。また、タグ本体部１４の表面左上には、各トリアージタグ１１に固有の識別番号（Ｎｏ．）が事前印刷される。また、タグ本体部１４の裏面には、図２に示すように、受傷箇所などの特記事項を記入する欄が設けられる。また、タグ本体部１４の表側には、二枚の複写紙１２ａ，１２ｂが積層される。複写紙１２ａ，１２ｂは災害現場や搬送機関の控えとして使用される。
【００２９】
トリアージ区分表示部１５は、図３に示すように、四つの横長矩形状のトリアージ標識片１６ａ〜１６ｄを、タグ本体部１４の下端部から下方に連続させてなるものであり、既存のトリアージタグと同様に、トリアージ標識片１６ａ〜１６ｄを選択的に切り離して、最下部のトリアージ標識片１６ａ〜１６ｄによって、傷病者のトリアージ区分を示すよう構成されたものである。具体的には、四つのトリアージ標識片１６ａ〜１６ｄは、四種類のトリアージ区分（区分０〜３）に対応しており、対応するトリアージ区分を示す色で着色されている。具体的には、タグ本体部１４の直下に形成される第一トリアージ標識片１６ａは、区分０を示すものであり、黒色で着色される。第一トリアージ標識片１６ａの下に形成される第二トリアージ標識片１６ｂは、区分１を示すものであり、赤色で着色される。同様に、第二トリアージ標識片１６ｂの下の第三トリアージ標識片１６ｃは、区分２を示す黄色で着色される。そして、一番下に位置する第四トリアージ標識片１６ｄは、区分３を示す緑色で着色される。
【００３０】
各トリアージ標識片１６ａ〜１６ｄの間の境界には、ミシン目からなる易切断線１８ａ〜１８ｃが、タグ用紙１２を横断するように夫々形成される。そして、易切断線１８ａ〜１８ｃに沿ってタグ用紙１２を切断することで、トリアージ標識片１６ｂ〜１６ｄをタグ本体部１４から切り離し得るよう構成される。なお、タグ本体部１４と第一トリアージ標識片１６ａの間には易切断線が形成されておらず、最上部の第一トリアージ標識片１６ａは、タグ本体部１４から切り離せないよう構成されている。
【００３１】
タグ用紙１２には、図３に示すように、上下方向に沿って四つのＩＣタグ２０ａ〜２０ｄが並設される。各ＩＣタグ２０ａ〜２０ｄは、ＵＨＦ帯で無線通信可能なパッシブタグであり、ＩＣチップ２５を備えるＩＣモジュール２１と、タグ用紙１２の上に形成されるダイポールアンテナ２２とを備えてなる。各ＩＣタグ２０ａ〜２０ｄは、タグ用紙１２上の配設位置とが相違するものの、夫々の機器構成は同じである。
【００３２】
各ＩＣタグ２０ａ〜２０ｄのＩＣモジュール２１は、図３に示すように、タグ用紙１２の表面の、幅方向の中央部に接着される。各ＩＣモジュール２１は、図４に示すように、ＩＣチップ２５と、該ＩＣチップ２５に接続されたコイル状の小型アンテナ２６とをパッケージ化してなるものである。ＩＣチップ２５は、ＵＨＦ帯用のＩＣタグに用いられる既製品であり、小型アンテナ２６を介した無線通信によって情報を読み書きし得るよう構成されている。また、ＩＣチップ２５は、ＩＣタグリーダーが複数のＩＣタグ２０ａ〜２０ｄと同時通信し得るようアンチコリジョン機能を有している。このＩＣモジュール２１は、市販の製品（例えば、日立化成株式会社製ＵＨＦ超小型パッケージタグ）を好適に用いることができる。
【００３３】
ダイポールアンテナ２２は、図３に示すように、左右対称な伏コ字状をなしている。ダイポールアンテナ２２の長さは、ＵＨＦ帯の所定周波数での無線通信に適した長さに設定されている。このダイポールアンテナ２２は、タグ用紙１２の表面に導電性ペーストを印刷することによって形成される。また、ダイポールアンテナ２２は、金属箔の箔押しによって形成することもできる。ダイポールアンテナ２２の中央部には、ＩＣチップモジュールの周囲を囲繞する装着部２４が形成されており、該装着部２４において、ダイポールアンテナ２２が、ＩＣモジュール２１の小型アンテナ２６と電磁界結合するよう構成されている。ＩＣチップ２５は、小型アンテナ２６のみでは、ごく短距離（数ｃｍ程度）しか通信できないため、本実施例では、このように、小型アンテナ２６をダイポールアンテナ２２と電磁界結合させて、ダイポールアンテナ２２をブースターアンテナとして機能させることで、ＩＣチップ２５の通信可能距離を３ｍ程度に拡張している。すなわち、本実施例にあっては、ＩＣモジュール２１の小型アンテナ２６とダイポールアンテナ２２とによって、本発明に係るアンテナが構成される。
【００３４】
図３に示すように、トリアージタグ１１に上下に配設される四つのＩＣタグ２０ａ〜２０ｄのうち、最上部を除く三つは、トリアージ標識片１６ａ〜１６ｄの間の各易切断線１８ａ〜１８ｃに跨がるように設置される切断識別用ＩＣタグ２０ｂ〜２０ｄである。そして、最上部の１つは、易切断線１８ａ〜１８ｃを跨ぐことなく、タグ本体部１４と第一トリアージ標識片１６ａの境界に設置される基本ＩＣタグ２０ａである。
【００３５】
図３に示すように、切断識別用ＩＣタグ２０ｂ〜２０ｄは、第一トリアージ標識片１６ａと第二トリアージ標識片１６ｂの間の易切断線１８ａを跨いで配設される第一切断識別用ＩＣタグ２０ｂと、第二トリアージ標識片１６ｂと第三トリアージ標識片１６ｃの間の易切断線１８ｂを跨いで配設される第二切断識別用ＩＣタグ２０ｃと、第三トリアージ標識片１６ｃと第四トリアージ標識片１６ｄの間の易切断線１８ｃを跨いで配設される第三切断識別用ＩＣタグ２０ｄとからなる。
【００３６】
図３に示すように、各切断識別用ＩＣタグ２０ｂ〜２０ｄでは、ＩＣモジュール２１が、易切断線１８ａ〜１８ｃの中央直下に配設される。そして、各ダイポールアンテナ２２は、ＩＣモジュール２１を囲繞する装着部２４の付け根部分が易切断線１８ａ〜１８ｃと交差するよう配設されており、易切断線１８ａ〜１８ｃが切断された時に、ＩＣモジュール２１が、ダイポールアンテナ２２の、装着部２４を除く部位から離隔するよう構成されている。ここで、ダイポールアンテナ２２は、ミシン目の非切断部分を含むように易切断線１８ａ〜１８ｃと交差しており、これにより、易切断線１８ａ〜１８ｃの非切断状態では、易切断線１８ａ〜１８ｃとの交差部分でダイポールアンテナ２２の導通が途切れないよう構成されている。
【００３７】
図５は、第二トリアージ標識片１６ｂと第三トリアージ標識片１６ｃの間の易切断線１８ｂで、トリアージタグ１１を切り離した状態である。かかる状態では、第二切断識別用ＩＣタグ２０ｃのダイポールアンテナ２２が易切断線１８ｂで切断されて、第二切断識別用ＩＣタグ２０ｃのＩＣモジュール２１が、ダイポールアンテナ２２の大部分から離隔するため、第二切断識別用ＩＣタグ２０ｃは、ごく短距離（数ｃｍ）の無線通信しかできなくなり、１０ｃｍ以上離れた位置からは、無線通信によって記憶情報を読み取り不可能となる。
【００３８】
このように、各切断識別用ＩＣタグ２０ｂ〜２０ｄは、配設位置の易切断線１８ａ〜１８ｃが切断されることにより、実質的にＩＣタグリーダーと通信不能となるよう構成される。一方、基本ＩＣタグ２０ａは、トリアージ標識片１６ｂ〜１６ｄの切離しによって通信不能となることはないし、タグ本体部１４から分離することもない。
【００３９】
各ＩＣタグ２０ｂ〜２０ｄのＩＣチップ２５には、予めトリアージタグ１１に付与された各トリアージタグに固有のトリアージタグ識別情報と、タグ用紙１２の配設位置に応じて付与されるＩＣタグ属性情報とが記憶される。トリアージタグ識別情報は８桁の識別番号からなるものである。また、ＩＣタグ属性情報は下記のように０〜３の識別番号からなるものである。
０：基本ＩＣタグ
１：第一切断識別用ＩＣタグ
２：第二切断識別用ＩＣタグ
３：第三切断識別用ＩＣタグ
そして、各ＩＣタグ２０ｂ〜２０ｄのＩＣチップ２５は、ＩＣタグリーダーからの要求に応じて、トリアージタグ識別情報とＩＣタグ属性情報の情報をＩＣタグリーダーに送信する。具体的には、トリアージタグ識別情報が「１２３４５６７８」であるトリアージタグ１１の第二切断識別用ＩＣタグ２０ｂは、トリアージタグ識別情報「１２３４５６７８」とＩＣタグ属性情報「２」とを含む情報をＩＣタグリーダーに送信する。
【００４０】
本実施例のトリアージタグ１１の製造方法としては、例えば、タグ用紙１２に印刷を施したり、易切断線１８ａ〜１８ｃを形成したりして、ＩＣタグを具備しない既存のトリアージタグを製造する工程と、タグ用紙１２の所要位置にダイポールアンテナ２２を印刷形成する工程と、タグ用紙１２の所要位置にＩＣモジュール２１を接着する工程と、ＩＣタグライタを用いて、ＩＣタグ２０ａ〜２０ｄに上記トリアージタグ識別情報及びＩＣタグ属性情報を書き込む工程と、を備えるものが挙げられる。
【００４１】
次に、上記トリアージタグ１１のトリアージ区分を無線通信によって判別するためのＩＣタグリーダーについて説明する。
トリアージタグ１１のトリアージ区分を無線通信によって判別するためのＩＣタグリーダーは、公知のＩＣタグリーダーに、トリアージ区分判別用のプログラムが組み込んでなるものである。具体的には、トリアージ区分読取装置は、トリアージタグ１１のＩＣタグ２０ａ〜２０ｄの周波数帯（ＵＨＦ）で通信可能な通信部と、操作者が操作するための操作部と、読取情報や操作情報などを表示する表示部とを備えている。このＩＣタグリーダーは、少なくとも、トリアージタグ１１の全体を包含し得る通信範囲を有している必要がある。また、トリアージ区分表示部１５を視認困難な位置からトリアージ区分を判別することを考慮すると、ＩＣタグリーダーの通信範囲は１ｍ以上であることが望ましい。また、ＩＣタグリーダーは、複数のＩＣタグ２０ａ〜２０ｄと同時通信可能なアンチコリジョン機能を備えている必要がある。なお、かかるＩＣタグリーダーのハードウェア構成は公知であるため、詳細な説明は省略する。
【００４２】
ＩＣタグリーダーは、トリアージタグ１１のトリアージ区分を判別する際に、トリアージタグ１１のＩＣタグ２０ａ〜２０ｄの記憶情報を読み取るデータ読取処理と、該データ読取処理で読み取った情報に基づいてトリアージ区分を判別する区分判別処理と、トリアージ区分の判別結果を表示部に表示する判別結果表示処理とを順次実行する。
【００４３】
データ読取処理では、ＩＣタグリーダーは、通信可能範囲にあるトリアージタグ１１の全てのＩＣタグ２０ａ〜２０ｄと通信を行い、ＩＣタグ２０ａ〜２０ｄに記憶された情報を読み取って記憶装置に格納する。かかるデータ読取処理で読み取られるデータには、上述のようにトリアージタグ識別情報とＩＣタグ属性情報が含まれる。かかるデータ読取処理は、公知の手順によって実行可能であるため、詳細な説明は省略する。
【００４４】
図６は、区分判別処理の処理内容を示したものである。区分判別処理では、まず、データ読取処理で読み取った情報から、基本ＩＣタグ２０ａに記憶された情報、すなわち、ＩＣタグ属性情報「０」を含む情報を検索する（Ｓ１）。ステップＳ２では、ステップＳ１の検索結果で基本ＩＣタグ２０ａの情報が見つかったか否かを判定し、基本ＩＣタグ２０ａの情報が見つからなかった場合には、区分判別処理を終了し、基本ＩＣタグ２０ａの情報が見つかった場合は、ステップＳ３に移行する。
【００４５】
ステップＳ３では、データ読取処理で読み取った情報から、見つかった基本ＩＣタグ２０ａと同じトリアージタグ１１に配設されたＩＣタグ（トリアージ識別情報の共通するもの）の情報を検索し、ステップＳ４に移行する。
【００４６】
ステップＳ４では、ステップＳ３の検索で、第一切断識別用ＩＣタグ２０ｂの情報が見つかったか否かを判定し、第一切断識別用ＩＣタグ２０ｂの情報が見つからなかった場合は、「区分０」の判定結果を当該トリアージタグ１１のトリアージタグ識別情報と関連付けて記憶する（Ｓ７）。ステップＳ４で、第一切断識別用ＩＣタグ２０ｂの情報が見つかった場合は、ステップＳ５に移行する。
【００４７】
ステップＳ５では、ステップＳ３の検索で、第二切断識別用ＩＣタグ２０ｃの情報が見つかったか否かを判定し、第二切断識別用ＩＣタグ２０ｃの情報が見つからなかった場合は、「区分１」の判定結果を当該トリアージタグ１１のトリアージタグ識別情報と関連付けて記憶する（Ｓ８）。ステップＳ５で、第二切断識別用ＩＣタグ２０ｃの情報が見つかった場合は、ステップＳ６に移行する。
【００４８】
ステップＳ６では、ステップＳ３の検索で、第三切断識別用ＩＣタグ２０ｄの情報が見つかったか否かを判定し、第三切断識別用ＩＣタグ２０ｄの情報が見つからなかった場合は、「区分２」の判定結果を当該トリアージタグ１１のトリアージタグ識別情報と関連付けて記憶する（Ｓ９）。一方、ステップＳ６で、第三切断識別用ＩＣタグ２０ｄの情報が見つかった場合は、「区分３」の判定結果を当該トリアージタグのトリアージタグ識別情報と関連付けて記憶する（Ｓ１０）。
【００４９】
このように、区分判別処理では、ステップＳ１，Ｓ２で、タグ本体部１４に含まれる基本ＩＣタグ２０ａを検索し、基本ＩＣタグ２０ａの情報が見つかった場合には、ステップＳ３〜Ｓ１０で、同じトリアージタグ１１の切断識別用ＩＣタグ２０ｂ〜２０ｄの記憶情報を読み取りできたか否かを判定することにより、当該トリアージタグ１１のトリアージ区分を決定する。そして、ステップＳ３〜Ｓ１０でトリアージ区分の判定を終了すると、再びステップＳ１，Ｓ２で新たな基本ＩＣタグ２０ａの情報を検索し、未処理の基本ＩＣタグ２０ａが見つからなくなるまで、ステップＳ３〜Ｓ１０を繰返し実行する。
【００５０】
なお、上記区分判別処理では、記憶情報を読取不能であった切断識別用ＩＣタグ２０ｂ〜２０ｄのうち、最もタグ本体部１４に近い切断識別用ＩＣタグ２０ｂ〜２０ｄの配設位置で易切断線１８ａ〜１８ｃが切断されているとみなして、当該トリアージタグ１１のトリアージ区分を決定しているため、切り離したトリアージ標識片１６ｂ〜１６ｄに含まれる切断識別用ＩＣタグ２０ｃ，２０ｄのＩＣタグ属性情報をＩＣタグリーダーが読み取っていた場合でも、トリアージ区分を正確に判別することができる。
【００５１】
判別結果表示処理では、区分判別処理の結果を表示部に表示する。具体的には、図７（ａ），７（ｂ）の例に示すように、トリアージ区分を判別したトリアージタグ１１のトリアージタグ識別情報（タグ識別番号）と、トリアージ区分とを対応付けて表示する。一方、データ読取処理で基本ＩＣタグ２０ａの情報が１つも読み取られず、区分判別処理でトリアージ区分の判別を行わなかった場合は、図７（ｃ）の例に示すように、トリアージ区分を判別不能であったことを示す画面を表示部に表示する。
【００５２】
以上のように、本実施例のトリアージタグ１１は、ＩＣタグリーダーにデータ読取処理と区分判別処理と判別結果表示処理とを順次実行させることによって、トリアージ区分表示部１５の示すトリアージ区分を無線通信によって判別できる。特に、本実施例にあっては、トリアージタグ１１の各ＩＣタグ２０ａ〜２０ｄに、トリアージタグ識別情報を記憶させているため、ＩＣタグリーダーの通信可能範囲に複数のトリアージタグ１１が含まれている場合でも、各トリアージタグ１１のＩＣタグ２０ａ〜２０ｄを混同することなく、複数のトリアージタグ１１のトリアージ区分を一度に判別できるという利点がある。また、本実施例では、ＩＣタグリーダーが、データ読取処理で基本ＩＣタグ２０ａの情報を１つも読み取らなかった場合に、判別結果表示処理でトリアージ区分を判別不能であったことを報知するよう構成されている。このため、降雨や汚染など、現場の状況によってトリアージ区分を無線通信で判別困難であった場合には、操作者は、速やかに、ＩＣタグリーダーをトリアージタグに近づけて再試行したり、トリアージ区分を目視確認したりすることができる。また、トリアージ区分を判別するための上記ＩＣタグリーダーは、既存のＩＣタグリーダーに上記処理を実行するプログラムを組み込むだけで実現できるため、低廉に製造できるという利点がある。
【００５３】
次に、本実施例のトリアージタグ１１の使用例について説明する。
本実施例のトリアージタグ１１は、トリアージの際には、ＩＣタグを具備しないトリアージタグと同様に扱うことができる。すなわち、トリアージ実施者は、傷病者の状態を判断し、タグ本体部１４に傷病者の個人情報や症状等を記入する。そして、タグ本体部１４への記入が完了したら、決定したトリアージ区分を示すトリアージ標識片１６ａ〜１６ｄが最下部にくるように、トリアージ区分表示部１５を易切断線１８ａ〜１８ｃで切り離す（「区分３」の場合は全く切断しない。）。そして、かかるトリアージタグ１１を傷病者の手首等に巻き付けることにより、傷病者一人分のトリアージが終了する。このように、本実施例のトリアージタグ１１では、トリアージでの判断結果をＩＣタグ２０ａ〜２０ｄに記憶させるなどの作業は必要ない。
【００５４】
そして、本実施例のトリアージタグ１１によれば、トリアージ終了後の傷病者のトリアージ区分を、３ｍ程度離れた位置から上記ＩＣタグリーダーで確認可能となる。判別した傷病者のトリアージ区分は、例えば、トリアージタグ識別情報とともにサーバーに送信することで、傷病者の数や症状の統括的な管理に用いることができる。また、本実施例のトリアージタグ１１は、上記ＩＣタグリーダーを用いることで、トリアージ区分表示部１５を一つ一つ目視確認するよりも簡便にトリアージ区分を確認できるため、トリアージ終了後の傷病者の中から、重症度の高い傷病者を探索して選別する際にも有効に用いることができる。
【００５５】
このように、本実施例のトリアージタグ１１は、一般的なトリアージの手順通りにトリアージ区分表示部１５を切断するだけで、トリアージ区分を無線通信によって判別可能となるから、トリアージの際の手間を増やすことなく、トリアージ区分を無線通信によって簡便に判別できる。
【００５６】
本発明は、上記実施例の形態に限らず本発明の要旨を逸脱しない範囲内において種々変更を加えることができる。
【００５７】
例えば、トリアージタグの形態は、使用するトリアージのシステムに応じて、上記実施例の形態を種々変更することが可能である。
【００５８】
また、上記実施例では、ＩＣタグ２０ａ〜２０ｄを、タグ用紙１２に印刷形成したダイポールアンテナ２２と、ＩＣモジュール２１とによって構成しているが、本発明に係るアンテナは、タグ用紙に印刷形成したアンテナにＩＣチップを直接装着してなる構成にすることもできる。また、本発明に係るＩＣタグは、インレット形態のものをタグ用紙に貼り付けることによっても配設可能である。
【００５９】
また、上記実施例では、ＩＣタグ２０ａ〜２０ｄがタグ用紙１２の表面に露出しているが、ＩＣタグの表面は、適宜に保護層で被覆することが可能である。また、ＩＣタグをタグ用紙に埋設することもできる。
【００６０】
また、上記実施例では、易切断線１８ａ〜１８ｃがミシン目によって形成されているが、本発明に係る易切断線はハーフカット線などによって形成することも可能である。
【００６１】
また、上記実施例では、ＩＣタグ２０ａ〜２０ｄにトリアージタグ識別情報とＩＣタグ属性情報のみが記憶される構成としているが、本発明のＩＣタグには、トリアージタグ識別情報とＩＣタグ属性情報以外の情報を記憶させることが可能である。
【符号の説明】
【００６２】
１１  トリアージタグ
１２  タグ用紙
１２ａ，１２ｂ  複写紙
１３  ゴム紐
１４  タグ本体部
１５  トリアージ区分表示部
１６ａ〜１６ｄ  トリアージ標識片
１８ａ〜１８ｃ  易切断線
２０ａ  基本ＩＣタグ
２０ｂ〜２０ｄ  切断識別用ＩＣタグ
２１  ＩＣモジュール
２２  ダイポールアンテナ（アンテナ）
２４  装着部
２５  ＩＣチップ
２６  小型アンテナ（アンテナ）
【図１】
2015055995.tif 000003
【図２】
2015055995.tif 000004
【図３】
2015055995.tif 000005
【図４】
2015055995.tif 000006
【図５】
2015055995.tif 000007
【図６】
2015055995.tif 000008
【図７】
2015055995.tif 000009
【図８】
2015055995.tif 000010